(57)【要約】【課題】コストを削減し、操作性を向上させる。【解決手段】インクリボンを収納するリボンカセットが着脱自在に装着される装着部と、リボンカセットから供給されたインクリボンを印字媒体に圧接して印字する印字ヘッドと、印字ヘッドが配置され、リボンカセットから供給されるインクリボンに取り付けられ、取り付けられたインクリボンと対向する開口部を備え、着脱自在に装着された印字ヘッドにより押圧されたインクリボンが開口部から露出され、リボンカセットに回収されるインクリボンの走行をガイドするリボンホルダ１１３が搭載される印字機構１６と、を有する。【選択図】図４
2010214683.tif 000002
【特許請求の範囲】
【請求項１】
印字媒体に印字する印字装置において、
インクリボンを収納するリボンカセットが着脱自在に装着される装着部と、
前記リボンカセットから供給された前記インクリボンを前記印字媒体に圧接して印字する印字ヘッドと、
前記印字ヘッドが配置され、前記リボンカセットから供給される前記インクリボンに取り付けられ、取り付けられた前記インクリボンと対向する開口部を備え、着脱自在に装着された前記印字ヘッドにより押圧された前記インクリボンが前記開口部から露出され、前記リボンカセットに回収される前記インクリボンの走行をガイドするリボンホルダが搭載される印字機構と、
を有することを特徴とする印字装置。
【請求項２】
前記印字機構は、上端が軸支されて、下端に係止部が形成されて、前記上端を軸支する軸を中心に前記リボンホルダの装着方向に回転するシフト部材をさらに有し、
額縁上の係合部をさらに備える前記リボンホルダが前記印字機構に搭載されると、前記係合部が前記係止部に係止されることを特徴とする請求項１記載の印字装置。
【請求項３】
前記印字機構は、前記装着方向に延伸して配置されたスライドシャフトを有し、
シャフト孔を備える前記リボンホルダが前記スライドシャフトに前記シャフト孔を嵌合して前記印字機構に搭載されると、前記シフト部材の回転によって、前記リボンホルダが前記スライドシャフトに沿って摺動することを特徴とする請求項２記載の印字装置。
【請求項４】
前記印字機構は、前記リボンホルダの前記係合部を付勢して、前記係止部の係止から前記係止部を開放させる着脱部を有することを特徴とする請求項２記載の印字装置。
【請求項５】
印字ヘッドを備える印字装置に装着されるリボンカセットにおいて、
前記印字装置に着脱自在であり、インクリボンを収納し、収納された前記インクリボンを前記印字ヘッドに供給し、供給された前記インクリボンを回収する本体部と、
前記本体部からの前記インクリボンに取り付けられ、取り付けられた前記インクリボンと対向する開口部を備え、着脱自在に装着された前記印字ヘッドにより押圧された前記インクリボンが前記開口部から露出されて、前記インクリボンの走行をガイドするリボンホルダと、
を有することを特徴とするリボンカセット。
【発明の詳細な説明】
【技術分野】
【０００１】
印字媒体に印字を行う印字装置、及び印字装置に装着されるリボンカセットに関する。
【背景技術】
【０００２】
金融機関等の窓口では、オペレータがセットした冊子媒体である通帳を受け入れて、オペレータの操作入力に基づいた処理を当該通帳に行うＡＴＭ（Automated Teller Machine：現金自動預け入れ機）が利用されている。ＡＴＭには、モニタ、入力装置、冊子媒体取扱装置及び紙幣収納装置等が内部に組み込まれている。以下に、オペレータが入金取引を行う場合を例に挙げる。
【０００３】
オペレータが入力装置と一体化したモニタにタッチして入金処理を指定してＡＴＭに通知する。オペレータは通帳と所定の金額分の紙幣とを冊子媒体取扱装置の投入口にそれぞれ投入する。投入された紙幣はＡＴＭ内の紙幣収納装置に収納されて計数される。通帳は冊子媒体取扱装置の所定の位置に搬送されて、計数された紙幣の金額が印字装置により印字される（例えば、特許文献１参照）。このような処理が完了された通帳は、搬送路を搬送されて投入口から排出されて、オペレータに返却される。
【０００４】
通帳に対して印字を行う印字装置は、通帳が搬送される搬送路上に設置されている。印字装置は通帳の搬送方向に対して垂直方向に移動するキャリアを備え、キャリアには通帳に印字を行う印字ヘッドが搭載されている。また、印字装置には、インクが含浸された帯状のインクリボンを収納するリボンカセットが装着されて、リボンカセットから印字ヘッドにインクリボンが供給される。印字ヘッドは供給されたインクリボンに圧接して、通帳の所定の中紙に印字する。また、複数色、例えば、赤色及び黒色等の２色のインクがそれぞれ帯状に平行して含浸されたインクリボンが利用される場合がある。この場合には、例えば、借入金は赤色で印字する等、取引項目に応じて色を指定することができる。
【０００５】
次に、キャリア及びキャリアに搭載された印字ヘッドについて説明する。
図１２は、キャリアとキャリアに搭載された印字ヘッドとを有する印字機構の一例を説明するための図である。なお、（Ａ）は印字機構２６の側面図であり、（Ｂ）は印字機構２６の印字ヘッド２６６が切り替えられたときの側面図である。また、搬送路Ｌ上の図中右側をＸ方向とする。
【０００６】
印字機構２６は、キャリア２６１と、キャリア２６１の、Ｘ方向の反対側に配置させたシャフト孔２６８及びガイド２６９とを有する。また、印字機構２６は、キャリア２６１の両側に上端がシャフト２６３ａに軸支させたシフト用リンク２６３と、シフト用リンク２６３の下端に回転可能に配置され、スライドシャフト２６７に摺動可能に配置されたスライダ２６５とを有する。さらに、スライダ２６５の搬送路Ｌ側の端部には印字ヘッド２６６が備えられており、印字ヘッド２６６は搬送路Ｌと対向している。
【０００７】
上記構成の印字機構２６は、シャフト孔２６８及びガイド２６９が図示しない印字装置の２種のシャフトに取り付けられている。印字機構２６は、２種のシャフトに沿ってＸ方向に対して垂直（図中垂直）方向に摺動する。
【０００８】
また、２色（黒色・赤色）のインクが上下２段にそれぞれ含浸されたインクリボンを収納するリボンカセット（図示を省略）がキャリア２６１の上部に装着される。なお、インクリボンは、Ｘ方向前方に黒色、後方に赤色のインクが含浸されている。リボンカセットから供給されるインクリボンは印字ヘッド２６６の印字面を走行して再びリボンカセットに回収される。
【０００９】
シフト用リンク２６３が印字装置の制御に応じてシャフト２６３ａを中心に回転することにより、スライダ２６５はスライドシャフト２６７に沿って（Ｘ方向平行に）摺動する。スライダ２６５の摺動に伴って、印字ヘッド２６６も移動する。
【００１０】
このような印字機構２６による印字動作について説明する。
中紙が開けられて、表紙の外面が搬送路Ｌに接した状態の通帳ＰＢが搬送路Ｌの所定の位置まで搬送される。開けられた中紙の所定の位置にキャリア２６１がシャフトを摺動して移動する。キャリア２６１が移動した先で、スライドシャフト２６７をＸ方向前方に移動させた印字ヘッド２６６がインクリボンに圧接して、通帳ＰＢの中紙に黒色のインクを転写させて印字する（図１２（Ａ））。
【００１１】
一方、赤色のインクを通帳ＰＢの中紙に印字する場合には、シフト用リンク２６３を回転させてスライダ２６５をスライドシャフト２６７に沿ってＸ方向後方に移動させ、その位置で印字ヘッド２６６をインクリボンに圧接して、通帳ＰＢの中紙に赤色のインクを転写させて印字する（図１２（Ｂ））。
【先行技術文献】
【特許文献】
【００１２】
【特許文献１】特開昭６１−８３０８７
【発明の概要】
【発明が解決しようとする課題】
【００１３】
上記図１２の印字機構では、スライダ及びスライドシャフトに摺動性が高く、磨耗が少ない金属が用いられている。このため、スライダはスライドシャフトを円滑に摺動して印字される色の切り替えが円滑に行われていた。
【００１４】
しかし、金属を用いるとコストが嵩むという問題があった。一方で、スライダ及びスライドシャフトを金属以外の部材で構成すると、磨耗が生じ、印字色の切り替え機構に不良が生じてしまうという別の問題があった。
【００１５】
また、図１２の印字機構では、リボンカセットを印字装置に装着する際に、印字ヘッドにインクリボンを手で取り付ける必要があったため、手が汚れてしまい操作性が悪かった。
【００１６】
一方、上記特許文献１にもあるように、印字装置の構造は複雑であり、構成部品の点数が多く、製造コストが高いという問題点があった。
本発明はこのような点に鑑みてなされたものであり、コストが削減されて、操作性が向上した印字装置、及び印字装置に装着されるリボンカセットを提供することを目的とする。
【課題を解決するための手段】
【００１７】
上記目的を達成するために、印字媒体に印字する印刷装置が提供される。
この印字装置は、インクリボンを収納するリボンカセットが着脱自在に装着される装着部と、前記リボンカセットから供給された前記インクリボンを前記印字媒体に圧接して印字する印字ヘッドと、前記印字ヘッドが配置され、前記リボンカセットから供給される前記インクリボンに取り付けられ、取り付けられた前記インクリボンと対向する開口部を備え、着脱自在に装着された前記印字ヘッドにより押圧された前記インクリボンが前記開口部から露出され、前記リボンカセットに回収される前記インクリボンの走行をガイドするリボンホルダが搭載される印字機構と、を有する。
【００１８】
このような印字装置では、装着部にインクリボンを収納するリボンカセットが着脱自在に装着され、印字ヘッドでリボンカセットから供給されたインクリボンを印字媒体に圧接して印字され、印字機構で、印字ヘッドが配置され、リボンカセットから供給されるインクリボンに取り付けられ、取り付けられたインクリボンと対向する開口部を備え、着脱自在に装着された印字ヘッドにより押圧されたインクリボンが開口部から露出され、リボンカセットに回収されるインクリボンの走行をガイドするリボンホルダが搭載される。
【００１９】
また、上記目的を達成するために、印字ヘッドを備える印字装置に装着されるリボンカセットが提供される。
このリボンカセットは、前記印字装置に着脱自在であり、インクリボンを収納し、収納された前記インクリボンを前記印字ヘッドに供給し、供給された前記インクリボンを回収する本体部と、前記本体部からの前記インクリボンに取り付けられ、取り付けられた前記インクリボンと対向する開口部を備え、着脱自在に装着された前記印字ヘッドにより押圧された前記インクリボンが前記開口部から露出されて、前記インクリボンの走行をガイドするリボンホルダと、を有する。
【００２０】
このようなリボンカセットでは、本体部は、印字装置に着脱自在であり、インクリボンを収納し、収納されたインクリボンを印字ヘッドに供給し、供給されたインクリボンを回収し、リボンホルダは、本体部からのインクリボンに取り付けられ、取り付けられたインクリボンと対向する開口部を備え、着脱自在に装着された印字ヘッドにより押圧されたインクリボンが開口部から露出されて、インクリボンの走行をガイドする。
【発明の効果】
【００２１】
上記印字装置及びリボンカセットでは、コストが削減されて、操作性が向上する。
【図面の簡単な説明】
【００２２】
【図１】冊子媒体取扱装置の機能ブロック図である。
【図２】印字装置を説明するための図（その１）である。
【図３】印字装置を説明するための図（その２）である。
【図４】リボンホルダが装着された印字機構を説明するための図（その１）である。
【図５】リボンホルダが装着された印字機構を説明するための図（その２）である。
【図６】印字装置に装着されるリボンカセットを説明するための斜視図である。
【図７】リボンホルダを説明するための図である。
【図８】印字機構を説明するための図（その１）である。
【図９】印字機構を説明するための図（その２）である。
【図１０】印字機構に対するリボンホルダの装着を説明するための図である。
【図１１】印字機構からリボンホルダの取り外しを説明するための図である。
【図１２】キャリアとキャリアに搭載された印字ヘッドとを有する印字機構の一例を説明するための図である。
【発明を実施するための形態】
【００２３】
以下、実施の形態について、図面を参照しながら説明する。
なお、本実施の形態では、ＡＴＭ等に組み込んだ冊子媒体取扱装置について説明する。また、冊子媒体として通帳の場合を例に挙げて説明する。
【００２４】
図１は、冊子媒体取扱装置の機能ブロック図である。
冊子媒体取扱装置１は、投入口２、磁気ストライプ処理部３、イメージスキャナ部４、捲り機構５、制御部６及び印字装置１０を有する。なお、通帳は、表表紙と、裏表紙と、表表紙及び裏表紙に綴り目で綴られた複数の中紙とを有する。
【００２５】
投入口２は、ユーザによって中紙が開かれた状態で通帳が投入され、また、冊子媒体取扱装置１内で行われる所定の処理が完了された通帳が排出される。投入口２にはセンサ（図示を省略）が備えられており、投入された通帳がセンサにより検知されると、その旨がその他の構成要素に通知される。
【００２６】
磁気ストライプ処理部３は、通帳に設けられた磁気ストライプにあらかじめ付加されている磁気情報（例えば、顧客の口座番号、前回の記帳記録等）を読み出し、通帳の磁気ストライプに対して新たに磁気情報を書き込む。
【００２７】
イメージスキャナ部４は、通帳上の印字開始位置並びに次に説明する捲り機構５による中紙の捲りが適切に行われたかを確認する。
捲り機構５は、上記の構成により所定の処理が行われた通帳に対して、中紙の捲り、通帳の閉じを行うことができる。
【００２８】
制御部６は、上記構成並びに印字装置１０の動作を制御する。
印字装置１０は、印字ヘッドを有しており、ユーザがＡＴＭに対して行わせた、入金、出金、振込み等の取引情報を通帳の所定の中紙に印字する。なお、印字装置１０の詳細については後述する。
【００２９】
以上の構成を有する冊子媒体取扱装置１では、中紙が開かれた状態で通帳が投入口２から投入されると、磁気ストライプ処理部３、イメージスキャナ部４、印字装置１０にてそれぞれ所定の処理が行われて、捲り機構５に搬送される。捲り機構５は、例えば、中紙を所望の中紙分だけ捲り、捲られた中紙を再びイメージスキャナ部４又は印字装置１０に搬送して、イメージスキャナ部４や印字装置１０にその中紙に対する処理を実行させることができる。また、冊子媒体取扱装置１では、最終的に通帳を排出する際に、表表紙及び裏表紙を閉じた状態で通帳を搬送させることも可能である。
【００３０】
以下に、冊子媒体取扱装置１に組み込まれた印字装置１０について説明する。なお、搬送路Ｌ上の通帳ＰＢの所定の方向をＸ方向で表す。
図２及び図３は、印字装置を説明するための図である。なお、図２は印字装置１０の斜視図、図３は印字装置１０の（Ａ）は正面図、（Ｂ）は上面図、及び（Ｃ）は図中右側の側面図である。
【００３１】
印字装置１０は、図２に示すように、通帳ＰＢが搬送される搬送路Ｌ上に配置されている。印字装置１０は、シャフト１８に嵌合された印字機構１６と、搬送ローラ１９を軸支するシャフト１７と、を有し、これらが天板１２及び側板１３，１４で覆われている。印字機構１６は、シャフト１８に沿って摺動して、Ｘ方向に対して直交方向（図３（Ａ）中横方向）に移動する。また、側板１３側には、シフト機構１５が設置されている。なお、印字機構１６の詳細については後述する。
【００３２】
さらに、印字装置１０の正面上部にリボンカセット１１が着脱可能に装着されている（図２及び図３（Ａ））。リボンカセット１１はインクリボン１１２を内部に収納し、リボンカセット１１から供給されたインクリボン１１２には、リボンホルダ１１３が取り付けられている。リボンホルダ１１３は印字機構１６に装着されることにより、後述する印字ヘッド１６６にインクリボン１１２が供給される。なお、リボンカセット１１の詳細については後述する。
【００３３】
次に、リボンホルダ１１３が装着された印字機構１６について説明する。
図４及び図５は、リボンホルダが装着された印字機構を説明するための図である。なお、図４はリボンホルダ１１３が装着された印字機構１６の斜視図、図５は同様の印字機構１６の（Ａ）は正面図、及び（Ｂ）は側面図である。また、リボンホルダ１１３が取り付けられたインクリボン１１２の記載は省略する。
【００３４】
印字機構１６は、キャリア１６１と、キャリア１６１のＸ方向の反対側に配置させたシャフト孔１６８及びガイド１６９とを有する。また、印字機構１６は、キャリア１６１の両側にシャフト１６３ａで上端を軸支されたシフト用リンク１６３と、ばね１６２ａを介して印字機構１６に配置された着脱レバー１６２と、を有する。シフト用リンク１６３は、シフト機構１５の駆動により、シャフト１６３ａが回転し、シフト用リンク１６３が限られた範囲で揺動する。なお、着脱レバー１６２の詳細については後述する。
【００３５】
キャリア１６１の下方には、印字ヘッド１６６と、印字ヘッド１６６に対向するマスク１６５とがそれぞれ配置されている。また、リボンホルダ１１３はキャリア１６１とマスク１６５との間に嵌合されており、リボンホルダ１１３はシフト用リンク１６３の下端に係合されて印字機構１６に装着される。
【００３６】
次に、リボンカセット１１及び印字機構１６についてそれぞれ詳細に説明する。
図６は、印字装置に装着されるリボンカセットを説明するための斜視図である。
リボンカセット１１は、インクリボン１１２を内部に収納する。また、インクリボン１１２はリボンカセット１１の一方の端部から供給されて、他方の端部に回収される。さらに、供給及び回収されるインクリボン１１２には、リボンホルダ１１３が取り付けられている。
【００３７】
図７は、リボンホルダを説明するための図である。なお、図７のリボンホルダ１１３の（Ａ）は正面図、（Ｂ）は上面図、及び（Ｃ）は（Ａ）の左側の側面図である。また、供給されて回収されるインクリボン１１２は、リボンホルダ１１３のＺ方向に沿って、ガイドされて走行する。なお、破線Ｚの開口部１１３ｃでの凹部は、リボンホルダ１１３が印字機構１６に装着された際の印字ヘッド１６６によって付勢されることにより生じる。また、リボンホルダ１１３は印字機構１６に対してＹ方向に嵌合する。
【００３８】
リボンホルダ１１３は、リボンカセット１１から供給されて、回収されるインクリボン１１２をガイドするガイド１１３ａ，１１３ｂを備える。リボンホルダ１１３をＹ方向に移動させて印字機構１６に装着した際に印字ヘッド１６６と対向する開口部１１３ｃと、Ｙ方向に貫通された一対のシャフト孔１１３ｄとを有する。なお、リボンホルダ１１３は、例えば、合成樹脂等により構成されている（図７（Ａ），（Ｂ））。
【００３９】
また、リボンホルダ１１３の両端部近傍に、一対の係合部１１３ｅが装着方向（Ｙ方向）に垂直に延伸して配置されている。係合部１１３ｅは、例えば、枠部を有する額縁状である（図７（Ｂ），（Ｃ））。
【００４０】
続いて、印字機構１６について説明する。
図８及び図９は、印字機構を説明するための図である。なお、図８は印字機構１６の斜視図、図９は印字機構１６の（Ａ）は正面図、及び（Ｂ）は図（Ａ）中両側の側面図である。
【００４１】
印字機構１６は、キャリア１６１と、キャリア１６１のＸ方向の反対側に配置させたシャフト孔１６８及びガイド１６９とを有する。また、印字機構１６は、キャリア１６１の両側にシャフト１６３ａで上端を軸支され、下端にロック溝１６４を有するシフト用リンク１６３と、着脱レバー１６２と、印字機構１６と着脱レバー１６２とを接続するばね１６２ａと、を有する。シフト機構１５の駆動によるシャフト１６３ａの回転に伴って、シフト用リンク１６３がシャフト１６３ａを中心にしてＺ方向に揺動する。着脱レバー１６２は、印字機構１６の内部に配置された図示しないシャフト１６２ｂ（図１１参照）に回転自在に軸支されている。また、着脱レバー１６２は、印字機構１６側に付勢するばね１６２ａに接続されており、ばね１６２ａによりシャフト１６２ｂを中心にした図中時計回り方向への回転が抑制される。さらに、着脱レバー１６２の、シャフト１６２ｂの近傍には凸部１６２ｃが形成されている。
【００４２】
また、印字機構１６は、キャリア１６１の下方に配置された印字ヘッド１６６と、印字ヘッド１６６の印字面と対向配置されたマスク１６５とを有する。さらに、印字ヘッド１６６の両側に一対のスライドシャフト１６７がＸ方向に延伸して垂直に形成されている。
【００４３】
このような印字機構１６に対してインクリボン１１２に取り付けられたリボンホルダ１１３が装着される。
図１０は、印字機構に対するリボンホルダの装着を説明するための図である。
【００４４】
印字機構１６にリボンホルダ１１３を装着するために、スライドシャフト１６７にシャフト孔１１３ｄを挿入して、リボンホルダ１１３を摺動させて、キャリア１６１とマスク１６５との間に嵌め込む。リボンホルダ１１３の係合部１１３ｅが印字機構１６のシフト用リンク１６３のロック溝１６４に係合するまで、リボンホルダ１１３のシャフト孔１１３ｄを印字機構１６のスライドシャフト１６７に挿入すると、印字機構１６にリボンホルダ１１３が装着される。この時、印字ヘッド１６６は開口部１１３ｃ及び開口部１１３ｃから露出されるインクリボン１１２に対向配置している（図４及び図５参照）。
【００４５】
このようにして装着されたリボンホルダ１１３は、シフト機構１５の駆動によるシフト用リンク１６３のシャフト１６３ａを中心とした揺動に伴って、スライドシャフト１６７はＸ方向に平行して摺動する。
【００４６】
一方、印字機構１６に装着されたリボンホルダ１１３は以下のようにして取り外すことができる。
図１１は、印字機構からリボンホルダの取り外しを説明するための図である。
【００４７】
印字機構１６にリボンホルダ１１３が装着されている状態において、着脱レバー１６２を図中下方へ付勢する。着脱レバー１６２は、シャフト１６２ｂを中心にして時計回り（α）方向に、ばね１６２ａの反時計回り方向の弾性力に逆らいながら回転する。この時、凸部１６２ｃが係合部１１３ｅを図中下方に付勢して、係合部１１３ｅはロック溝１６４による係合から開放される。この開放された状態のもと、キャリア１６１とマスク１６５との間から、リボンホルダ１１３をＸ方向に引き抜いて、スライドシャフト１６７に摺動して、取り外すことができる。
【００４８】
次に、印字装置１０による印字動作について説明する。
冊子媒体取扱装置１において、中紙が開かれた状態で通帳ＰＢが投入口２から投入されると、磁気ストライプ処理部３、イメージスキャナ部４において所定の処理が行われて、印字装置１０の所定の位置に搬送される。
【００４９】
開けられた中紙の所定の位置に印字機構１６のキャリア１６１がシャフト１８を摺動して移動する。キャリア１６１が移動した先で、印字ヘッド１６６は、スライドシャフト１６７のＸ方向前方に位置するリボンホルダ１１３の開口部１１３ｃに露出されるインクリボン１１２に圧接して、通帳ＰＢの中紙に黒色のインクを転写させて印字する。
【００５０】
一方、赤色のインクを通帳ＰＢの中紙に印字する場合には、シフト機構１５を駆動させて、シャフト１６２ｂの回転に伴ってシフト用リンク１６３が回転する。この時、シフト用リンク１６３のロック溝１６４に係合部１１３ｅが係合されたリボンホルダ１１３が、スライドシャフト１６７を摺動して、Ｘ方向に対して後方に退避する。リボンホルダ１１３が退避した位置で印字ヘッド１６６を開口部１１３ｃに露出されるインクリボン１１２に圧接して、通帳ＰＢの中紙に赤色のインクを転写させて印字する。
【００５１】
また、インクの転写が終了すると、リボンカセット１１にてインクリボン１１２を回収するとともに、新たに供給されたインクリボン１１２が開口部１１３ｃに露出される。回収・供給の際のインクリボン１１２はリボンカセット１１にガイドされて安定して走行する。
【００５２】
したがって、上記の印字装置１０では、機構の簡素化とともに、金属を用いずに印字の色を切り替えて、印字を行うことができるため、低コスト化できる。また、インクリボン１１２を印字機構１６に取り付ける際には、リボンホルダ１１３をキャリア１６１とマスク１６５との間に装着する。これにより、インクリボン１１２を直接手で触れずに、印字ヘッド１６６にインクリボン１１２を供給することが可能となり、リボンカセット１１の操作性が向上する。
【００５３】
印字する色を切り替える際には、リボンホルダ１１３をスライドシャフト１６７に摺動させて行われるため、色の切り替え時のインクリボン１１２のずれ等が防止されて、安定して印字する色の切り替えを行うことができる。
【符号の説明】
【００５４】
１  冊子媒体取扱装置
２  投入口
３  磁気ストライプ処理部
４  イメージスキャナ部
５  捲り機構
６  制御部
１０  印字装置
１１  リボンカセット
１２  天板
１３，１４  側板
１５  シフト機構
１６  印字機構
１７，１８，１６２ｂ，１６３ａ  シャフト
１９  搬送ローラ
１１２  インクリボン
１１３  リボンホルダ
１１３ａ，１１３ｂ  リボンガイド
１１３ｃ  開口部
１１３ｄ，１６８  シャフト孔
１１３ｅ  係合部
１６１  キャリア
１６２  着脱レバー
１６２ａ  ばね
１６２ｃ  凸部
１６３  シフト用リンク
１６４  ロック溝
１６５  マスク
１６６  印字ヘッド
１６７  スライドシャフト
１６９  ガイド
Ｌ  搬送路
ＰＢ  通帳
【図１】
2010214683.tif 000003
【図２】
2010214683.tif 000004
【図３】
2010214683.tif 000005
【図４】
2010214683.tif 000006
【図５】
2010214683.tif 000007
【図６】
2010214683.tif 000008
【図７】
2010214683.tif 000009
【図８】
2010214683.tif 000010
【図９】
2010214683.tif 000011
【図１０】
2010214683.tif 000012
【図１１】
2010214683.tif 000013
【図１２】
2010214683.tif 000014